(57)【要約】【課題】  順次変動する測定値に加えて当該測定値の極値をも表示することが可能な測定器を提供する。【解決手段】  被測定信号に基づいて所定の物理量を時系列的に順次測定する測定器において、物理量の測定値を算出する測定値演算手段と、該測定値演算手段から取得した測定値と自らが先に記憶した極値とを比較することにより新たな極値を順次更新記憶する極値更新記憶手段と、時間の経過とともに順次変動する測定値を表示すると共に、極値更新記憶手段が新たな極値を記憶すると当該新たな極値を所定期間だけ表示する表示手段とを具備する。【選択図】                    図１
2005148024.tif 000002
【特許請求の範囲】
【請求項１】
被測定信号に基づいて所定の物理量を時系列的に順次測定する測定器であって、
前記物理量の測定値を算出する測定値演算手段と、
該測定値演算手段から取得した測定値と自らが先に記憶した極値とを比較することにより新たな極値を順次更新記憶する極値更新記憶手段と、
時間の経過とともに順次変動する測定値を表示すると共に、前記極値更新記憶手段が新たな極値を記憶すると当該新たな極値を所定期間だけ表示する表示手段と
を具備することを特徴とする測定器。
【請求項２】
極値更新記憶手段は、
極値を記憶する極値メモリと、
新たな測定値と極値メモリに先に記憶されている極値とを比較し、新たな測定値が極値の場合には当該測定値を新たな極値として極値メモリに更新記憶させる比較器と
からなることを特徴とする請求項１記載の測定器。
【請求項３】
表示手段は、
所定形式の表示部と、
測定値演算手段から測定値を取得して前記表示部に表示させる一方、極値更新記憶手段から取得した極値を所定期間だけ前記表示部に表示させる表示制御部と
からなることを特徴とする請求項１または２記載の測定器。
【請求項４】
表示部は、多色ＬＥＤバーグラフであり、
表示制御部は、測定値を前記多色ＬＥＤバーグラフに第１色で表示させる一方、極値を第２色で前記多色ＬＥＤバーグラフに表示させることを特徴とする請求項１〜３いずれかに記載の測定器。
【請求項５】
物理量はジッタであることを特徴とする請求項１〜４いずれかに記載の測定器。
【発明の詳細な説明】
【技術分野】
【０００１】
本発明は、所定の物理量を測定する測定器に関する。
【背景技術】
【０００２】
測定器の１つとして、回転体の時間軸変動（ジッタ）を測定するジッタメータがある。例えば光ディスク再生装置の製造工程では、ジッタメータを用いることにより光ピックアップの出力信号のジッタが最小になるように光ピックアップの位置を調整する。このような製造工程で使用されるジッタメータは、測定値をバーグラフ、アナログメータあるいは７セグメントＬＥＤ等からなる表示部に表示させる。なお、このようなジッタメータについては、例えば以下の公知文献に詳細が記載されている。
【０００３】
【特許文献１】特開２００１−３１１７５３号公報
【発明の開示】
【発明が解決しようとする課題】
【０００４】
ところで、上述した光ピックアップの位置調整ではジッタメータの測定値が最小となるように光ピックアップの位置調整を行うが、上記従来のジッタメータは光ピックアップの出力信号から順次取得される測定値を表示部に順次出力するのみなので、調整作業者は、光ピックアップの位置に応じて順次変動する測定値のうち、最小値を常に記憶しながら光ピックアップの位置調整を行う必要があり、調整作業が煩雑である。
【０００５】
本発明は、上述した事情に鑑みてなされたものであり、以下の点を目的とする。
（１）順次変動する測定値に加えて当該測定値の極値をも表示する。
（２）回転体の調整作業における作業性を向上させる。
【課題を解決するための手段】
【０００６】
上記目的を達成するために、本発明では、第1の解決手段として、被測定信号に基づいて所定の物理量を時系列的に順次測定する測定器において、上記物理量の測定値を算出する測定値演算手段と、該測定値演算手段から取得した測定値と自らが先に記憶した極値とを比較することにより新たな極値を順次更新記憶する極値更新記憶手段と、時間の経過とともに順次変動する測定値を表示すると共に、上記極値更新記憶手段が新たな極値を記憶すると当該新たな極値を所定期間だけ表示する表示手段とを具備する、という構成を採用する。
【発明の効果】
【０００７】
このような本発明によれば、順次更新される新たな極値が所定期間だけ表示手段に表示されるので、例えば回転体の調整作業にける作業性を向上させることが可能である。
【発明を実施するための最良の形態】
【０００８】
以下、図面を参照して、本発明の一実施形態について説明する。
図1は、本実施形態に関わるジッタメータのブロック図である。この図において、符号1は時間測定部、２はアクイジションメモリ、３はジッタ値算出部、４はジッタ値メモリ、５は表示制御部、６は比較器、７は最小ジッタ値メモリ、８は最小ジッタ値更新タイマ、９は表示部である。これら各構成要素のうち、時間測定部１、アクイジションメモリ２、ジッタ値算出部３及びジッタ値メモリ４は本実施形態における測定値演算手段を構成し、比較器６、最小ジッタ値メモリ７及び最小ジッタ値更新タイマ８は極値更新記憶手段を構成し、また表示制御部５及び表示部９は表示手段を構成している。
【０００９】
時間測定部1は、外部から入力される被測定信号に対して所定のゲート時間内における時間測定を連続的に順次行い、その測定データをアクイジションメモリ２に出力する。アクイジションメモリ２は、上記測定データを順次記憶すると共に当該記憶した測定データを読み出してジッタ値算出部３に出力する。ジッタ値算出部３は、アクイジションメモリ２から取得した時系列的な測定データに基づいてジッタ値の瞬時値を連続的に順次算出してジッタ値メモリ４に出力する。ジッタ値メモリ４は、上記ジッタ値の瞬時値を順次記憶すると共に、当該記憶した瞬時値を表示制御部５及び比較器６に出力する。なお、以下の説明では上記ジッタ値の瞬時値を「測定ジッタ値」という。
【００１０】
表示制御部５は、ジッタ値メモリ４から取得した測定ジッタ値及び最小ジッタ値メモリ７から取得した最小ジッタ値に基づいて表示部９を制御する。比較器６は、ジッタ値メモリ４から取得した測定ジッタ値と最小ジッタ値メモリ７から取得した最小ジッタ値との大小関係を比較し、測定ジッタ値が最小ジッタ値よりも小さい場合には当該測定ジッタ値を新たな最小ジッタ値として最小ジッタ値メモリ７に更新記憶させると共に、最小ジッタ値更新タイマ８のカウント動作をリスタートさせる。
【００１１】
最小ジッタ値メモリ７は、比較器６から入力される測定ジッタ値（すなわち最小ジッタ値）を順次更新記憶すると共に当該最小ジッタ値を読み出して表示制御部５に出力する。最小ジッタ値更新タイマ８は、比較器６か入力されるリスタート信号に同期して計時するものであり、この計時データを比較器６に出力する。表示部９は、図示するように多色発光ＬＥＤバーグラフであり、多色発光するＬＥＤが一列に配列したものである。この表示部９は、測定ジッタ値を第１色で表示すると共に、最小ジッタ値を第２色で表示する。
【００１２】
次に、このように構成された本ジッタメータの動作について、図２のフローチャートに沿って詳しく説明する。
最初に、外部から順次入力される被測定信号に対して、時間測定部1は、被測定信号の時間測定を順次連続的に行い（ステップＳ1）、その測定データをアクイジションメモリ２に出力する。この結果、アクイジションメモリ２には測定データが時系列順に順次記憶される。そして、ジッタ値算出部３は、このようなアクイジションメモリ２から取得した時系列の測定データに所定の演算を施すことにより測定ジッタ値を時系列的に順次算出する（ステップＳ2）。
【００１３】
また、上記ジッタ値算出部３は、自らが順次算出した測定ジッタ値をジッタ値メモリ４に出力して記憶させる。そして、比較器６は、最小ジッタ値更新タイマ８から入力される計時データが最小ジッタ保持時間を越えたか否かを判断し（ステップＳ3）、この判断が「ＹＥＳ」の場合は、ジッタ値算出部３から取得した測定ジッタ値を最小ジッタ値として最小ジッタ値メモリ７に記憶させた後（ステップＳ4）、最小ジッタ値更新タイマ８をリスターとさせる（ステップＳ5）。一方、上記ステップＳ3の判断が「ＮＯ」の場合、比較器６は、測定ジッタ値と最小ジッタ値との大小関係を判断し（ステップＳ６）、この判断が「ＹＥＳ」の場合は上記ステップＳ4の処理を行う。
【００１４】
そして、上記ステップＳ６の判断が「ＮＯ」の場合及び上記ステップＳ5の処理が完了すると、表示制御部５は、ジッタ値メモリ４から測定ジッタ値を取得して表示部９に表示させた後（ステップＳ7）、最小ジッタ値メモリ７から最小ジッタ値を取得して表示部９に表示させる（ステップＳ8）。
【００１５】
図３は、このような一連動作に基づく表示部９の表示動作を示す動作説明図である。
すなわち、本ジッタメータによれば、測定ジッタ値は測定時刻Ｔの経過とともにジッタ値メモリ４から表示制御部５に順次取得されて表示部９に第１色で表示される一方、新たな最小ジッタ値が比較器６によって任意のタイミングで検出される度に、当該最小ジッタ値が最小ジッタ値メモリ７に記憶され、かつ表示制御部５に取得されることによって、最小ジッタ保持時間に相当する期間だけ表示部９に第２色で表示される。したがって、本ジッタメータを用いて光ピックアップの位置調整を行う場合、調整作業者は、光ピックアップの位置に応じて順次変動する最小値を常に記憶しながら光ピックアップの位置調整を行う必要がないので、調整作業の煩雑さが大幅に軽減される。
【００１６】
なお、本発明は上記実施形態に限定されるものではなく、例えば以下のような変形例が考えられる。
（１）上記実施形態は、本発明を測定器の一種であるジッタメータに適用したものであるが、本発明はこのジッタメータに限定されることなく、各種測定器に適用可能である。
（２）上記実施形態では、最小ジッタ値を最小ジッタ保持時間に相当する期間だけ表示部９に表示されるように構成したが、最小ジッタ値に代えて最大ジッタ値を表示させるように構成しても良い。すなわち、測定ジッタ値の極値（最小ジッタ値あるいは／及び最大ジッタ値）を所定時間だけ表示するようにしても良い。
（３）上記実施形態では、表示部９に多色発光ＬＥＤバーグラフ表示器を採用したが、本発明はこれに限定されるものではなく、他の種類の表示器を用いても良い。
【図面の簡単な説明】
【００１７】
【図１】本発明の一実施形態に係わるジッタメータのブロック図である。
【図２】本発明の一実施形態に係わるジッタメータの動作を示すフローチャートである。
【図３】本発明の一実施形態に係わるジッタメータの特徴的動作を示す動作説明図である。
【符号の説明】
【００１８】
１…時間測定部  、２…アクイジションメモリ  、３…ジッタ値算出部  、４…ジッタ値メモリ  、５…表示制御部  、６…比較器  、７…最小ジッタ値メモリ  、８…最小ジッタ値更新タイマ  、９…表示部  
【図１】
2005148024.tif 000003
【図２】
2005148024.tif 000004
【図３】
2005148024.tif 000005